(57)【要約】【課題】      重りが簡単に着脱出来ると共に確実に取り付けができる餌木を提供することである。【解決手段】  餌木本体２の前方側下部に重り取付部７が固定されている。  重り取付部７は金属材や合成樹脂材で板状に形成されて重り取付部７の中に餌木本体２の長手方向に沿って貫通孔７ａが形成されている。  重り取付部７の貫通孔７ａには重り８に固定された取付部材９が挿通されて重り取付部７の後端の孔縁７ｂに取付部材９の後端の鈎部９ａが係止される。  重り取付部７に重り８が装着された時は、重り取付部７の外周部７ｃに重り８の内周部８ａが添設され、重り８は鉛や重い金属材で厚めの板状に形成されて後端に上向きの鈎部８ｃが形成されて、取付部材９は弾性材で形成されている。【選択図】        図１
2010104318.tif 000002
【特許請求の範囲】
【請求項１】
餌木本体の前方側下部に重り取付部を設け、この重り取付部に取付部材を備えた重りを前記重り取付部の外周部に添設したことを特徴とする餌木。
【請求項２】
重り取付部に前後に貫通する貫通孔を設け、該貫通孔に挿通した取付部材を貫通孔の端部で係止したことを特徴とする請求項１記載の餌木。
【発明の詳細な説明】
【技術分野】
【０００１】
本発明は、重り重量を簡単に変えられて沈み速度が変更できる餌木に関する。
【背景技術】
【０００２】
従来イカ釣り用のルア−（疑似餌）に餌木（エギ）と呼ばれるものがある。
イカを掛ける部分は放射状に広がった笠針が用いられている。
特許文献１のように餌木本体の前方側下部に錘を設けると共に、この錘に小さな補助錘を取り付ける提案がある。
しかし、この補助錘を取り付ける構造では取り付けが確実でなく、大きな錘を取り付けることが出来ない。
【特許文献１】特許第３８４４６８１号公報
【発明の開示】
【発明が解決しようとする課題】
【０００３】
解決しようとする問題点は、取り付けが確実でなく、補助錘を取り付ける構造では大きな錘を取り付けることが出来ないことである。
【０００４】
本発明の目的は前記欠点に鑑み、簡単に着脱出来ると共に取り付けが確実で、大小の重りに変えられて沈み速度を調整出来る餌木を提供することである。
【課題を解決するための手段】
【０００５】
本発明の請求項１は、餌木本体の前方側下部に重り取付部を設け、この重り取付部に取付部材を備えた重りを前記重り取付部の外周部に添設したことを要旨とするものである。
本発明の請求項２は、重り取付部に前後に貫通する貫通孔を設け、該貫通孔に挿通した取付部材を貫通孔の端部で係止したことを要旨とするものである。
【発明の効果】
【０００６】
本発明の請求項により、餌木の餌木本体前方側下部に固定された重り取付部の外周部に添設するように、重りが容易に装着される。
【発明を実施するための最良の形態】
【０００７】
餌木１は、餌木本体２が合成樹脂で外形はイカ釣りに適したエビ、シャコ等を模した形状に形成されて餌木本体２の尾側に支柱３が固定されて支柱３に複数の笠針４が固定されている。
餌木本体２の前方側下部に重り取付部７が固定されている。
重り取付部７は金属材や合成樹脂材で板状に形成されてその両面を左右側に向けて餌木本体２からキ−ル状に突出する重り取付部７の中に餌木本体２の長手方向に沿って貫通孔７ａが形成されている。
図で貫通孔７ａの断面形状は楕円形に形成されている。
重り取付部７の貫通孔７ａには重り８に固定された取付部材９が挿通されて重り取付部７の後端の孔縁７ｂの後側端部（後側開口縁部）に取付部材９の後端の鈎部９ａが係止される。
重り取付部７に重り８が装着された時は、重り取付部７の外周部７ｃの前方側と下方側の外周部に重り８の内周部８ａが添設される。
重り８は鉛や重い金属材で板状に形成され、取付部材９は弾性材で形成されている。
重り８には楕円で円錐形状の挿入部８ｂが形成されて、断面形状が楕円形の貫通孔７ａへの挿入着脱を容易にしている。
重り８の後端に上向きの鈎部８ｃが形成されている。
重り８の挿入部８ａの上側に、重り取付部７から重り８を外す時の逃げ部８ｄが形成されている。
【実施例１】
【０００８】
以下、図示の実施例によって本発明を説明すると、図１、図２は第１実施例で、図１は餌木の一部断面側面図と一部拡大断面側面図、図２は餌木の断面正面図である。
【０００９】
餌木１は、餌木本体２が合成樹脂で外形はイカ釣りに適したエビ、シャコ等を模した形状に形成されて餌木本体２の尾側に支柱３が固定されて支柱３に複数の笠針４が固定されている。
餌木本体２の前側には釣糸係止部５が固定されて釣糸６が取り付けられている。
餌木本体２の前方側下部に重り取付部７が固定されている。
重り取付部７は金属材や合成樹脂材で厚めの板状に形成されて重り取付部７の中に餌木本体２の長手方向に沿って貫通孔７ａが形成されている。
図で貫通孔７ａの断面形状は楕円形に形成されている。
【００１０】
重り取付部７の貫通孔７ａには重り８に固定された取付部材９が挿通されて重り取付部７の後端の孔縁７ｂの後側端部（後側開口縁部）に取付部材９の後端の鈎部９ａが係止される。
重り取付部７に重り８が装着された時は、重り取付部７の外周部７ｃの前方側と下方側の外周部に重り８の内周部８ａが添設される。
重り８は鉛や重い金属材で板状に形成され、取付部材９は弾性材で形成されている。
重り８の肉厚は重り取付部７の板厚と略同一に形成されて沈降時に横ぶれが少なくなるように形成されている。
重り８には楕円で円錐形状の挿入部８ｂが形成されて、断面形状が楕円形の貫通孔７ａへの挿入着脱を容易にしている。
重り８の後端に上向きの鈎部８ｃが形成されている。
重り８の挿入部８ａの上側に、重り取付部７から重り８を外す時の逃げ部８ｄが形成されている。
重り８は大小複数の大きさの物を用意するとよい。
【００１１】
重り取付部７に重り８が取り付けられる時は、貫通孔７ａの挿入口に取付部材９の後端の鈎部９ａが差し込まれて重り８が押し込まれると重り取付部７の外周部７ｃに重り８の内周部８ａが添設されて装着される。
重り取付部７から重り８が取り外される時は、取付部材９の後端の鈎部９ａを弾性に抗して持ち上げて前方に押し出すと共に、重り８後端の鈎部８ｃを押し下げて前方に押し出せば容易に外すことが出来る。
【００１２】
前記のように餌木が構成されていると、餌木１の餌木本体２前方側下部に固定された重り取付部７の外周部７ｃに添設するように、重り取付部７の貫通孔７ａに重り８の取付部材９を挿通することで重り８が容易に素早く装着される。
重り８の大きさは大小用意して選択的に取り付けることが出来る。
【実施例２】
【００１３】
図３、図４は第２実施例で、図３は餌木の一部断面側面図と一部拡大断面側面図、図４は餌木の断面正面図である。
【００１４】
第２実施例の餌木１は、餌木本体２の前方側下部に重り取付部７が固定されている。
重り取付部７は金属材や合成樹脂材で板状に形成されて重り取付部７の中に餌木本体２の長手方向に沿って貫通孔７ａが形成されている。
図で貫通孔７ａの断面形状は楕円形に形成されている。
重り取付部７の貫通孔７ａには重り８′に固定された取付部材９′が挿通されて重り取付部７の後端の孔縁７ｂの後側端部（後側開口縁部）に取付部材９′の後端の湾曲鈎部９ｂが係止される。
重り取付部７に重り８′が装着された時は、重り取付部７の外周部７ｃの前方側と下方側の外周部に重り８′の内周部８ａが添設される。
重り８′は鉛や重い金属材で厚めの板状に形成され、取付部材９′は弾性線材で形成されている。
他の構成は前記第１実施例と略同一である。
【産業上の利用可能性】
【００１５】
本発明は餌木全般に利用できる。
【図面の簡単な説明】
【００１６】
【図１】第１実施例で、餌木の一部断面側面図と一部拡大断面側面図である。
【図２】同餌木の断面正面図である。
【図３】第２実施例で、餌木の一部断面側面図と一部拡大断面側面図である。
【図４】同餌木の断面正面図である。
【符号の説明】
【００１７】
１  餌木
２  餌木本体
７  重り取付部
７ａ  貫通孔
７ｃ  外周部
８、８′  重り
９、９′  取付部材
【図１】
2010104318.tif 000003
【図２】
2010104318.tif 000004
【図３】
2010104318.tif 000005
【図４】
2010104318.tif 000006